【事件の表示】
　商願２００５−　９２６５６拒絶査定不服審判事件について、次のとおり審決する。
【結　論】
　本件審判の請求は、成り立たない。
【理　由】
１　本願商標
　本願商標は、「ＨＯＵＮＤ　ＤＯＧ」の欧文字と「ハウンドドッグ」の片仮名文字を二段に書してなり、第４１類「音楽の演奏」を指定役務として、平成１７年１０月４日に登録出願されたものである。
　
２　原査定の拒絶の理由の要旨
　原査定は、「本願商標は、大友康平氏がリーダーを務めるロックバンドグループとして著名な「ハウンドドッグ／ＨＯＵＮＤ　ＤＯＧ」の文字よりなるものであり、かつ、その者の承諾を得たものとは認められないものである。したがって、本願商標は、商標法第４条第１項第８号に該当する。」旨認定、判断し、本願を拒絶したものである。
　
３　請求人への審尋
　平成１９年１０月１８日付け審尋書をもって通知した審尋の理由の要旨は、次のとおりである。
　請求人は、平成１８年１２月２６日付けの手続補正書の請求の理由において、「原審において、平成１８年４月１８日付けで本願商標の商標登録を受けることについて、大友氏が承諾する旨の「承諾書」を提出しているので、商標法第４条第１項第８号には該当しない。なお、刊行物等提出書における宣誓書の５名（八島順一、橋本章司、西山毅、鮫島秀樹、箕輪単志）は、すでに「ハウンドドッグ」から離脱しており、「ハウンドドッグ」のメンバーではないから、上記５名は、そもそも本願商標について商標登録を受けることについて、承諾を得る必要のある「他人」には該当しない。」旨述べている。
　しかし、「ＨＯＵＮＤ　ＤＯＧ」、「ハウンドドッグ」は、本願商標の出願以前から現在に至るまで、前記大友氏を含めた６名で構成されているロックバンドグループ名として、需要者間に広く知られているから、これを一私人が商標として登録を受け独占的に使用することは、公正な取引社会を乱すおそれがあるので、該グループの構成員の承諾書等を提出して下さい。（同年６月８日付の刊行物等提出書によれば、上記５名は、本願商標の商標登録を受けることについて一切承諾していない旨述べている。）　
 　
４　請求人の回答（要旨）
　上記３の審尋書に対し、請求人は、回答の要旨を以下のように述べている。
「ＨＯＵＮＤ　ＤＯＧ」、「ハウンドドッグ」は、大友康平氏及びその他の５名で構成されたロックバンドグループであったという事実があり、需要者間にもそのように広く知られていた。
　しかしながら、現在では、これら６名のうち大友氏のみが「ＨＯＵＮＤ　ＤＯＧ」、「ハウンドドッグ」として精力的に活動しており、その他の５名については「ＨＯＵＮＤ　ＤＯＧ」、「ハウンドドッグ」としての活動は全く行ってないこともまた需要者間に広く知られているところである。
　そして、出願人は、「ＨＯＵＮＤ　ＤＯＧ」のメンバーである大友氏及び「ＨＯＵＮＤ　ＤＯＧ」が所属する事務所である。
　そうすると、出願人が、本願商標の登録を受け独占的に使用したとしても、それは当然の権利であって、公正な取引社会を乱すおそれはない。
　以上のとおり、上記５名については、承諾を得るべき他人には該当しない。
　
５　当審の判断
　本願商標は、前記のとおり、「ＨＯＵＮＤ　ＤＯＧ」の文字と「ハウンドドッグ」の文字よりなるところ、「ハウンドドッグ／ＨＯＵＮＤ　ＤＯＧ」は、１９７６年に結成され、１９８０年にシングルデビューをし、代表曲に「ｆｆ（フォルティシモ）」（１９８５年）、「ＯＮＬＹ　ＬＯＶＥ」（１９８８年）、「ＢＲＩＤＧＥ〜あの橋をわたるとき〜」（１９９２年）等があり、「大友康平、八島順一、橋本章司、西山毅、鮫島秀樹、箕輪単志」を構成員とする日本のロックバンド、特にライブ活動に主眼をおいたグループ名として、広く知られて著名となっているものと認めることができる。
　上記した実情は、以下のような新聞記事情報からも裏付けられる。
（１）２００６年２月３日付け日刊スポーツ　東京日刊には『ハウンドドッグ、５０回目「武道館」』の見出しの下、「５０歳になった大友康平が率いる人気バンド、ハウンドドッグが５０回目の日本武道館公演を行うことが２日、分かった。」との記載がある。
（２）２００５年７月１０日付け日刊スポーツ　東京日刊には「ハウンドドッグが武道館で２５周年記念コンサ−ト、解散しません」の見出しの下、『人気ロックバンドのハウンドドッグが９日、東京・日本武道館でデビュー２５周年記念コンサート「帰還（ホーム）」を行い、ボーカルの大友康平（４９）が一部で報じられた解散を否定した。』との記載がある。
（３）２００５年６月１１日付け読売新聞　東京夕刊１０頁には「［ラジオＢＡＮＧ！］結成２５周年　ロックグループ、ハウンドドッグの特別番組」の見出しの下、『今年結成２５周年を迎えたロックグループ、ハウンドドッグ＝写真＝の軌跡を追う特別番組「ＩＴ’Ｓ　ＯＮＬＹ　ＨＯＵＮＤ　ＤＯＧ」が、１３日午後７時から文化放送で放送される。』との記載がある。
（４）２００４年８月２２日付け共同通信には『「ＪポップＷＡＶＥ！」　心に火をともす愛の歌　ハウンドドッグの大友康平』の見出しの下、『迫力のライブで二十年以上にわたり根強い人気を誇るロックバンド「Ｈｏｕｎｄ　ｄｏｇ（ハウンドドッグ）」。』との記載がある。
（５）２００４年４月１５日付け日刊スポーツ　東京日刊には「シンガー・ソングライターの小田和正がハウンドドッグのＰＶ監督」の見出しの下、「人気ロックバンド、ハウンドドッグのプロモーションビデオ（ＰＶ）で、シンガー・ソングライター小田和正（５６）が監督を務めていたことが１４日、分かった。」との記載がある。
（６）２００４年２月２５日付け読売新聞　大阪夕刊９頁には『優しさも詰め込んでハウンドドッグの新作　１１Ｒｏｏｍｓ　Ｆｏｒ　Ｓｋｙ」』の見出しの下、『ロックバンドのハウンドドッグが約一年半ぶりの新作「１１Ｒｏｏｍｓ　Ｆｏｒ　Ｓｋｙ」（Ｒ＆Ｃ　ジャパン）を出した。』との記載がある。
（７）２００３年１２月１７日付け読売新聞　大阪朝刊３０頁には『［商い中］フクタレコード　格闘技のソフト豊富　音楽業界にも顔広く＝徳島』の見出しの下、『・・・・人気ロックグループ「ハウンドドッグ」のボーカル・大友康平さんとはデビュー時代からの知り合いで、音楽業界にも顔の広さをうかがわせる。』との記載がある。
（８）２００３年８月１０日付け読売新聞　東京朝刊２部　５頁には『［喝采］日比谷野外音楽堂　開設８０年、ロックの聖地』の見出しの下、「ロック系では１７日にベテランの忌野清志郎、３０日にはハウンドドッグがそれぞれ公演する。」との記載がある。
　以上のことから、「ハウンドドッグ／ＨＯＵＮＤ　ＤＯＧ」に接する取引者、需要者は、著名なロックバンドグループ名の「ハウンドドッグ／ＨＯＵＮＤ　ＤＯＧ」を認識、把握するというのが相当であるから、大友康平氏が中心に活動してきたことは認められるとしても、他の構成員全員の承諾が必要であるというのが相当である。
　なお、請求人は、平成１８年１２月２６日付けの審判請求書（請求の理由）及び同１９年１０月１８日起案の審尋に対する同年１２月３日付けの回答において、現在、「ハウンドドッグ／ＨＯＵＮＤ　ＤＯＧ」として活動しているのは、大友氏のみであり、その他５名「八島順一、橋本章司、西山毅、鮫島秀樹、箕輪単志」（以下、「その他の５名」という。）については、「ハウンドドッグ／ＨＯＵＮＤ　ＤＯＧ」として、全く活動していないことは、需要者間において広く知られているから、その他の５名は、商標法第４条第１項第８号に規定される承諾を得る「他人」には該当しない旨主張し、甲第１号証ないし甲第１３号証を提出している。
　そこで検討するに、甲第１号証は、大友康平氏のプロフィール、甲第２号証は、フリー百科事典「ウィキペディア（Ｗｉｋｉｐｅｄｉａ）」のハウンド・ドッグ（ロックバンド）の記事（該グループの沿革、曲目紹介等）、甲第３号証ないし甲第８号証は、インターネット及び新聞記事における大友氏の単独ライブの記事、甲第９号証及び甲第１０号証は、ハウンドドッグのメンバーによる訴訟事件関係、甲第１１号証ないし甲第１３号証は、ハウンドドッグのライブツアー情報記事等であり、これらの提出資料は、大友氏の経歴と単独活動等を述べているにすぎず、「ハウンドドッグ／ＨＯＵＮＤ　ＤＯＧ」は、請求人も認めているとおり、大友康平氏及びその他の５名で構成されたロックバンドグループ名であり、需要者間にも広く知られていることは、前記のとおりであるから、上記、請求人の主張は採用できない。
　また、「ハウンドドッグ／ＨＯＵＮＤ　ＤＯＧ」のメンバーから大友氏を除いたその他５名は、平成１８年６月８日付で刊行物等提出書を提出し、本願商標に関して商標登録を受けることについて、一切の承諾を行っていない旨主張し、５名連盟による「宣誓書」が提出されている。
　そうとすれば、本願商標は、日本においてロックバンドグループ名として著名な「ハウンドドッグ」及び「ＨＯＵＮＤ　ＤＯＧ」の文字と同一の文字であり、かつ、他人と認められるその構成員の承諾を得ているものと認められないものである。
　したがって、本願商標が商標法第４条第１項第８号に該当するとして本願を拒絶した原査定は、妥当であって、取り消すべきでない。　
　よって、結論のとおり審決する。